(57)【要約】【課題】      スタンドパウチなどの各種袋体に適用可能なヘッダーを有するスライダー付きチャック袋を提供する。チャックが開封されたことが検知しうる機能を付与する。【解決手段】  袋体を構成する表側フィルムＦ１の上端部がスライダーＳの下端より下方でプラスチックチャックＰＣの一方のフランジ部Ｃ−１に接着されており、袋体を構成する裏側フィルムＦ２は前記プラスチックチャックよりも上方まで延長されており且つ他方のフランジ部Ｃ−２にスライダーの下端より下方で接着されており、裏側フィルムの延長部ＥＦは折返されてその先端ＢＰがチャックの上端ＴＰより下側で且つ前記フランジ部と裏側フィルムとの接着箇所ＣＦよりも上側において延長部に接着されており、延長部がチャック袋のヘッダー部となることを特徴とする。【選択図】    図２  
2005178791.tif 000002
【特許請求の範囲】
【請求項１】
袋の開口部にテープ状プラスチックチャックを設けたチャック袋であって、前記プラスチックチャックはプラスチックフィルムの表面に一対の係合部が形成され、該係合部の内容物側にそれぞれフランジ部を有するとともに該係合部を開口・閉止するスライダーを有しており、袋体を構成する表側フィルムの上端部がスライダーの下端より下方で一方のフランジ部に接着されており、袋体を構成する裏側フィルムは前記プラスチックチャックよりも上方まで延長されており且つ他方のフランジ部にスライダーの下端より下方で接着されており、前記裏側フィルムの延長部は折返されてその先端がチャックの上端より下側で且つ前記フランジ部と裏側フィルムとの接着箇所よりも上側において前記延長部に接着されており、該延長部がチャック袋のヘッダー部となることを特徴とするスライダー付きチャック袋。
【請求項２】
袋の開口部にテープ状プラスチックチャックを設けたチャック袋であって、前記プラスチックチャックはプラスチックフィルムの表面に一対の係合部が形成され、該係合部の内容物側にそれぞれフランジ部を有するとともに該係合部を開口・閉止するスライダーを有しており、袋体を構成する表側フィルムの上端部がスライダーの下端より下方で一方のフランジ部に接着されており、袋体を構成する裏側フィルムは前記プラスチックチャックよりも上方まで延長されており且つ他方のフランジ部にスライダーの下端より下方で接着されており、前記裏側フィルムの延長部にヘッダー材が固着され、該ヘッダー材の下端部がチャックの上端より下側で且つ前記フランジ部と裏側フィルムとの接着箇所よりも上側において前記延長部に固着されており、前記延長部と前記ヘッダー材がチャック袋のヘッダー部となることを特徴とするスライダー付きチャック袋。
【請求項３】
袋の開口部にテープ状プラスチックチャックを設けたチャック袋であって、前記プラスチックチャックはプラスチックフィルムの表面に一対の係合部が形成され、該係合部の内容物側にそれぞれフランジ部を有するとともに該係合部を開口・閉止するスライダーを有しており、袋体を構成する表側フィルムの上端部がスライダーの下端より下方で一方のフランジ部に接着されており、袋体を構成する裏側フィルムの上端部がスライダーの下端より下方で他方のフランジ部に接着されており、ヘッダー材の下端部がチャックの上端より下側で且つ前記フランジ部と裏側フィルムとの接着箇所よりも上側において前記他方のフランジ部に固着されていることを特徴とするスライダー付きチャック袋。
【請求項４】
スライダー付きチャック袋を構成するプラスチックチャックが開封検知機能を有することを特徴とする請求項１〜３のいずれか１項に記載のスライダー付きチャック袋。
【請求項５】
前記係合部を形成する雌鈎爪の頂部あるいは該頂部と対向する雄鈎爪側のフランジ部の表面に易剥離プラスチック層が予め設けられ、該易剥離プラスチック層が溶融接着されることを特徴とする請求項４記載のスライダー付きチャック袋。
【請求項６】
前記係合部の少なくとも一方の係合部にプラスチックチャックの長手方向に延びる１本以上の突起が設けられ、該突起は少なくとも先端部分が可撓性を有し、該突起あるいは該突起と対向する他方の係合部の表面に易剥離プラスチック層が予め設けられ、該易剥離プラスチック層が溶融接着されることを特徴とする請求項４記載のスライダー付きチャック袋。
【請求項７】
係合部の近傍の少なくとも一方のフランジ部にプラスチックチャックの長手方向に延びる１本以上の突起が設けられ、該突起は少なくとも先端部分が可撓性を有し、該突起あるいは該突起と対向する他方のフランジ部の表面または突起の表面に易剥離プラスチック層が予め設けられ、該易剥離プラスチック層が溶融接着されることを特徴とする請求項４記載のスライダー付きチャック袋。
【請求項８】
フランジ部の開口側端部に一対の突起が設けられ、該突起の少なくとも一方に易剥離プラスチック層が予め設けられ、該易剥離プラスチック層が溶融接着されることを特徴とする請求項４記載のスライダー付きチャック袋。
【請求項９】
袋体を構成する表側フィルムまたは裏側フィルムの一方は内容物を充填する前はプラスチックチャックのフランジ部に接着されておらず開いており、該開いた箇所から内容物を充填した後にプラスチックチャックのフランジ部に接着されることを特徴とする請求項１〜８のいずれか１項に記載のスライダー付きチャック袋。
【請求項１０】
袋体を構成する表側フィルムおよび裏側フィルムは内容物を充填する前は袋体の下端部または横端部の少なくと一部分が開いており、内容物を充填した後に該開いた箇所のフィルムが互いに接着されることを特徴とする請求項１〜８のいずれか１項に記載のスライダー付きチャック袋。
【発明の詳細な説明】
【技術分野】
【０００１】
本発明は、食品、薬品、電子部品等の包装容器に使用される、スライダー付きプラスチックチャック袋体に設けるヘッダーに関する。
【背景技術】
【０００２】
従来、食品、薬品、電子部品その他の各種の物品を袋に収納して、コンビニなどで多品種、小ロット販売が行われている。このような袋入りの商品を店頭で効率よく陳列するには、袋の上部に吊下げ用ヘッダーを設けることが必要不可欠とされている。
【０００３】
ヘッダーを設けたチャック付き袋に関しては様々な発明が開示されている。例えば特許文献１（特許第３１９３０００号公報）には、袋体の上部にヘッダーを、下部にチャックを設けた底開き袋において、ヘッダーと袋の底部を個別に溶着し、袋の底部とヘッダーの間にミシン目を設け、使用時にヘッダー部分を分離できることを特徴とする袋体が開示されている。
【０００４】
特許文献２（実用新案登録第２５１２０８３号公報）には、２枚のフィルムの両端を溶着して袋体部を形成し、一方のフィルムの上縁を折返し厚手のヘッダーシートを包み、該フィルムの折り返し先端縁をヘッダーシート下縁付近に固定し、ヘッダーシート側縁を該フィルムの側縁と溶着してヘッダー部を形成し、他方のフィルムとヘッダー部の間に開口部を設け、チャックシートの上縁と下縁を各々のフィルムに溶着し、該チャックシートの上縁と他方のフィルムの上縁が一致する袋体が開示されている。
【０００５】
一方、各種の物品の包装材としてプラスチックチャックを備えた袋体が多く使用されている。一般には、スライダー付きプラスチックチャックは開口が容易で再開封可能な包装材料として多用されている。
【０００６】
【特許文献１】特許第３１９３０００号公報
【特許文献２】実用新案登録第２５１２０８３号公報
【発明の開示】
【発明が解決しようとする課題】
【０００７】
特許文献１の袋体はヘッダーを袋の開口部と反対側に設けているため、いわゆる底部にガゼットがあるスタンドパウチなどには適用できないという問題がある。更に、底部が開口部となるため、商品展示時と消費者が使用する時とでは逆方向の表示を必要とするという問題点を有している。また、この袋体はヘッダーとは逆の位置（すなわち吊下げた際に下側となる箇所）に開口部が設けられているので、仮に、スライダー付きチャックを開口部に取付けてもスライダー付きチャック袋であることを目視で消費者に対してアピールできないという問題が生じる。
【０００８】
特許文献２の袋体はチャックシートの全面を袋体を構成するフィルムに融着しているので、スライダー付きチャックを適用できない。
【０００９】
このように、前述した特許文献１、２に限らず、実際にもヘッダー部を有する袋にスライダー付きプラスチックチャックを使用したチャック付き袋は未だ見当たらない。
【００１０】
また、スライダー付きチャックは開閉が容易であるが、この点が販売に際しては問題となる。すなわち、被包装物の多様化に伴い、包装後に不正な目的や誤りによって開封され、異物を混入されたり、内容物が損なわれる等の不都合が生じていても、スライダーで再び袋が閉じられた状態となっていると開封されたことが分かり難いという問題がある。
【００１１】
本発明は、スライダー付きプラスチックチャックを開口部に具備する袋であり、多品種、小ロット販売の店頭で販売する商品に不可欠とされる吊下げ用のヘッダーを有し、しかも開口部が吊下げた状態で上側に位置して、スライダーで容易に開閉できることを目視で消費者に明確にアピールできる形状で、スタンドパウチなどの各種袋体に適用可能なヘッダーを有するスライダー付きチャック袋を提供することを目的とする。
【００１２】
更に、本発明はこのようなチャック袋において、チャックが開封されたことが検知しうる機能を付与したヘッダーを有するスライダー付きチャック袋を提供することを目的とする。
【課題を解決するための手段】
【００１３】
本発明によれば、袋の開口部にテープ状プラスチックチャックを設けたチャック袋であって、前記プラスチックチャックはプラスチックフィルムの表面に一対の係合部が形成され、該係合部の内容物側にそれぞれフランジ部を有するとともに該係合部を開口・閉止するスライダーを有しており、袋体を構成する表側フィルムの上端部がスライダーの下端より下方で一方のフランジ部に接着されており、袋体を構成する裏側フィルムは前記プラスチックチャックよりも上方まで延長されており且つ他方のフランジ部にスライダーの下端より下方で接着されており、前記裏側フィルムの延長部は折返されてその先端がチャックの上端より下側で且つ前記フランジ部と裏側フィルムとの接着箇所よりも上側において前記延長部に接着されており、該延長部がチャック袋のヘッダー部となることを特徴とするスライダー付きチャック袋により前記目的を達成する。
【００１４】
また、本発明によれば、前記裏側フィルムの延長部を折返す代りに、裏側フィルムの延長部にヘッダー材が固着され、該ヘッダー材の下端部がチャックの上端より下側で且つ前記フランジ部と裏側フィルムとの接着箇所よりも上側において前記延長部に固着されており、前記延長部と前記ヘッダー材がチャック袋のヘッダー部となるようにしても前記目的を達成する。或いは、前記裏側フィルムに延長部を設けず、ヘッダー材の下端部がチャックの上端より下側で且つフランジ部と裏側フィルムとの接着箇所よりも上側においてフランジ部に固着するようにしてもよい。
【００１５】
更に、本発明によれば、スライダー付きチャック袋を構成するプラスチックチャックがいたずら防止機能を有することにより前記目的を達成する。本発明においては、いたずら防止機能を持たせるプラスチックチャックの構成としては次のような構成のものが好ましい。
【００１６】
前述したスライダー付きチャック袋において、前記係合部を形成する雌鈎爪の頂部あるいは該頂部と対向する雄鈎爪側のフランジ部の表面に易剥離プラスチック層が予め設けられ、該易剥離プラスチック層が溶融接着されている。
【００１７】
または、前述したスライダー付きチャック袋において、前記係合部の少なくとも一方の係合部にプラスチックチャックの長手方向に延びる１本以上の突起が設けられ、該突起は少なくとも先端部分が可撓性を有し、該突起あるいは該突起と対向する他方の係合部の表面に易剥離プラスチック層が予め設けられ、該易剥離プラスチック層が溶融接着されている。
【００１８】
または、前述したスライダー付きチャック袋において、係合部の近傍の少なくとも一方のフランジ部にプラスチックチャックの長手方向に延びる１本以上の突起が設けられ、該突起は少なくとも先端部分が可撓性を有し、該突起あるいは該突起と対向する他方のフランジ部の表面または突起の表面に易剥離プラスチック層が予め設けられ、該易剥離プラスチック層が溶融接着されている。
【００１９】
または、前述したスライダー付きチャック袋において、フランジ部の開口側端部に一対の突起が設けられ、該突起の少なくとも一方に易剥離プラスチック層が予め設けられ、該易剥離プラスチック層が溶融接着されている。
【００２０】
または、前述したスライダー付きチャック袋において、袋体を構成する表側フィルムまたは裏側フィルムの一方は内容物を充填する前はプラスチックチャックのフランジ部に接着されておらず開いており、該開いた箇所から内容物を充填した後にプラスチックチャックのフランジ部に接着されている。
【００２１】
本発明においては、袋体を構成する表側フィルムまたは裏側フィルムの一方は内容物を充填する前はプラスチックチャックのフランジ部に接着されておらず開いているか、または袋体の下端部または横端部の少なくと一部分が開いており、該開いた箇所から内容物を充填した後に該開いた箇所のフィルムをプラスチックチャックのフランジ部に接着するか、またはフィルム同士を互いに接着するようにすることが好ましい。
【発明の効果】
【００２２】
本発明によれば、多品種、小ロット販売の店頭で販売する商品に不可欠とされる吊下げ用のヘッダーを有し且つプラスチックチャックの開閉を容易にするスライダーを有するチャック袋が得られる。しかも、開口部が吊下げた状態で上側に位置しているので、スライダーで容易に開閉できることを目視で消費者に明確にアピールできる。
【００２３】
更に、本発明のチャック袋によれば、ヘッダーおよびプラスチックチャックが共に袋の上側にあるので、袋の形状を扁平なものとできるだけでなく、底部にガゼットがあるスタンドパウチなどとすることができる。
【００２４】
更に、本発明によれば、スライダー付きチャック袋において、チャックが開封されたことが検知しうる機能を具備しているので、不正な目的で開封したりするいたずらを防止することができる。本発明によれば、プラスチックチャックの係合部やフランジ部が易剥離プラスチック層により溶融接着されているので、スライダーを移動して開封すると、この溶融接着箇所が剥離し、再びスライダーを移動してチャックを閉じても溶融接着箇所が剥離したままとなるので、不正に開封された場合は目視により簡単に判別できる。
【００２５】
また、本発明によれば、袋体を構成する表側フィルムまたは裏側フィルムの一方は内容物を充填する前はプラスチックチャックのフランジ部に接着されておらず開いているか、または袋体の下端部または横端部の少なくと一部分が開いている状態とすることにより、スライダーによるプラスチックチャックの開閉を行うことなく内容物を充填できるので、本発明のチャック袋は自動充填機に適用できる。このようにスライダーを移動させずに内容物を充填できるので、開封検知機能をプラスチックチャックに具備させた場合でも、開封検知機能を損なうことなく、内容物を充填できる。また、前記開いた箇所から内容物を充填した後に該開いた箇所のフィルムをプラスチックチャックのフランジ部に接着するか、またはフィルム同士を互いに接着すればよい。
【発明を実施するための最良の形態】
【００２６】
以下、図面に示した実施例に基いて本発明を詳細に説明する。図１は本発明のチャック袋の一実施例の一部断面斜視図であり、断面から先の部分は想像線（一点鎖線）で示している。図２は図１に示したチャック袋の断面図であり、袋本体の長さ方向の一部を省略している。図３（ａ）は本発明のチャック袋に使用するプラスチックチャックの一実施例の断面図、図３（ｂ）は別の実施例の断面図である。
【００２７】
図１および図２に示すように、本発明のチャック袋は袋の開口部に設けたプラスチックチャックＰＣにスライダーＳを装着したプラスチックチャック袋である。プラスチックチャックＰＣとしては、プラスチックフィルムＦＬの表面に一対の係合部が形成され、内容物側に袋体を構成するフィルムと溶着するためのフランジ部Ｃ−１、Ｃ−２が設けられたものであればよい。例えば、図３（ａ）に示すように、プラスチックフィルムＦＬの表面に雄雌一対の鈎爪が形成されたプラスチックチャックＰＣであって、雄鈎爪１−１の内側に該鈎爪と平行な連続締付け壁１−２を、雌鈎爪１−３の内側に該鈎爪と平行な連続押付けリブ１−４をそれぞれ有するプラスチックチャックや、図３（ｂ）に示すようにプラスチックフィルムＦＬの表面に雄鈎爪２−１と雌鈎爪２−２が形成されたプラスチックチャックＰＣがあり、一対の係合部（雄鈎爪、雌鈎爪）がスライダーＳにより開口あるいは閉止できるテープ状のプラスチックチャックである。
【００２８】
本発明の袋本体は２枚のフィルムから、または１枚のフィルムを２つ折りにして、形成される。図１に示した袋本体は２枚のフィルムから構成され、ここでは、一方のフィルムを表側フィルムＦ１、他方のフィルムを裏側フィルムＦ２と称する。図１に示すように、内容物を充填した状態では表側フィルムＦ１と裏側フィルムＦ２とは両横端ヒートシールＨＳおよび底部ヒートシールＢＨＳにより接着されている。
【００２９】
表側フィルムＦ１はプラスチックチャックの内容物側フランジ部Ｃ−１にその上端部が接着される。この接着部ＣＦはスライダーＳの移動を妨げないように、スライダーＳの下端よりも下方に位置する。
【００３０】
裏側フィルムＦ２もプラスチックチャックＰＣの他方の内容物側フランジ部Ｃ−２にスライダーＳの下端より下方で接着されるが、裏側フィルムＦ２はその接着部ＣＦよりも上方まで延長されている。この延長部ＥＦはプラスチックチャックＰＣの上端ＴＰを越えて上方まで延長され、そして折返されて、延長部ＥＦの先端ＢＰがチャックＰＣの上端ＴＰより下側で且つフランジ部Ｃ−２と裏側フィルムＦ２との接着部ＣＦよりも上側において延長部ＥＦに接着されている。好ましくは、延長部ＥＦの先端ＢＰがスライダーＳの下端より下側で且つフランジ部Ｃ−２と裏側フィルムＦ２との接着部ＣＦよりも上側に位置するようにして延長部ＥＦに接着する。
【００３１】
図１および図２に示した実施例においては、折返した延長部ＥＦがチャック袋のヘッダー部となる。この折返した延長部ＥＦに吊下げ用の孔等を形成すればよい。また、表側フィルムＦ１がチャック袋を吊下げた際に消費者の目に触れる側となる。図示した実施例では、折返し部分の先端ＢＰをチャックの上端ＴＰより下側に位置させているのは、ディスプレー効果をよくするためである。すなわち、折返し部分の先端ＢＰをチャックの上端ＴＰより上側に位置させた場合は、袋を構成するシーラントフィルム（シーラント層とも呼び、接着用フィルム層で袋の内面となるため印刷しない）がヘッダーの下部正面に見えるために、ディスプレー効果を著しく阻害するためである。
【００３２】
袋に通常使用される積層フィルム（２種類以上の層状のフィルムで構成される複合フィルムで最内層にシーラント層を設ける）では、袋のフィルムの外面とシーラント層は溶着しないので、裏側フィルムＦ２の延長部ＥＦを折返す場合は、図１および図２に示すように、袋の内面となるシーラント層同士が対向するように折返すと、折返し部分の先端部ＢＰを溶融接着でき、また、ヘッダー部となる延長部ＥＦでは袋の外面となる面が現れているので、印刷ができる。なお、逆方向に延長部ＥＦを折返すと、ヘッダー部となる部分はシーラント層が露出するが、通常のシーラント層は印刷可能に処理されていないので、印刷が綺麗にできず、ヘッダーとしては適していない。
【００３３】
図４（ａ）は本発明の袋体の横端ヒートシールと折返し部分の先端との位置関係を説明するための正面図であるがスライダーは省略して描かれている。図４（ｂ）は図４（ａ）のＦ−Ｆ′線に沿った断面図である。図４（ｂ）に示すように、折返し部分の先端ＢＰの位置がチャックＰＣの雄、雌鈎爪より開口側でチャックの上端ＴＰより内容物側にある場合、裏側フィルムＦ２の延長部ＥＦは図４（ａ）に示すチャック末端部のＢ、Ｂ′、Ｃ′、Ｃで囲まれる部分およびｂ′、ｂ、ｃ、ｃ′で囲まれる部分に対向する箇所においてシーラントフィルムが露出するために、袋の両横端をヒートシールＨＳした際に前記シーラントフィルムが露出した部分とチャックＰＣとが接着してしまう。
【００３４】
同様に、袋を構成するフィルムが単層で、袋の外表面がチャックと溶着可能な場合は、図４（ａ）に示すチャック末端部のＡ、Ａ′、Ｃ′、Ｃで囲まれる部分およびａ′、ａ、ｃ、ｃ′で囲まれる部分は袋の両横端をヒートシールＨＳした際に袋を構成するフィルムと接着してしまう。
【００３５】
このように、チャック末端部においてチャックＰＣと袋体を構成するフィルムＦと接着すると、スライダーの形式によってはスライダーの操作に障害を起こすことがある。
【００３６】
この障害を回避するために、図４（ａ）、（ｂ）に示すように、裏側フィルムＦ２の接着部ＣＦから上側の延長部ＥＦにおいて、袋の横端ヒートシールＨＳの延長線とチャックの上端ＴＰが交差する位置までの間の部分（すなわちＡ、Ａ′、Ｃ′、Ｃで囲まれる部分およびａ′、ａ、ｃ、ｃ′で囲まれる部分）に対向した部分（前記囲まれる部分を裏側フィルムＦ２の延長部ＥＦの上に投影した部分、すなわち、図１のα、α′、Ｃ′、Ｃおよびβ′、β、ｃ、ｃ′）を切欠く。このようにすると、チャック末端部と延長部ＥＦは袋の両端部でチャックと接着することはない。シーラントフィルムの露出状態に応じて、前記範囲の一部を切欠いてもよいし、全部を切欠いてもよい。また、前記範囲の一部または全部を含んでいれば、前記範囲外に亙って切欠いてもよい。なお、前述したように裏側フィルムＦ２の延長部ＥＦの先端ＢＰがスライダーＳの下端より下側で且つフランジ部Ｃ−２と裏側フィルムＦ２との接着部ＣＦよりも上側に位置するようにして延長部ＥＦに接着すれば、このような切欠きを形成する必要がない。
【００３７】
図１に示した実施例では、延長部ＥＦを単に折返しただけであるが、別の実施例としては図示しないが、延長部ＥＦを折返す際にフィルムの内部に心材を挿入してもよい。
【００３８】
図５は別の実施例の断面図であり、底部がヒートシールされていない状態で描かれている。この実施例においては、図１に示した実施例と異なって、裏側フィルムＦ２はプラスチックチャックの上端ＴＰより上方に延びているが、この延長部ＥＦは折返されていない。延長部ＥＦにはヘッダー材ＨＦが接着されている。ヘッダー材としては不織布、紙、フィルムなどの各種材料やこれらを貼合わせた複合フィルムなどが使用できる。ヘッダー材ＨＦの内容物側先端部ＢＰは前述した実施例と同様にチャックＰＣの上端ＴＰより下側で且つフランジ部Ｃ−２と裏側フィルムＦ２との接着部ＣＦよりも上側において延長部ＥＦに接着されている。好ましくは、延長部ＥＦの先端ＢＰがスライダーＳの下端より下側で且つフランジ部Ｃ−２と裏側フィルムＦ２との接着部ＣＦよりも上側に位置するようにして延長部ＥＦに接着する。なお、開いている底部はそこから内容物を充填した後にヒートシールＢＨＳされる。
【００３９】
図６は更に別の実施例の断面図である。この実施例においては、図１の実施例と異なって、裏側フィルムＦ２には延長部が存在せず、その上端部はプラスチックチャックの内容物側フランジ部Ｃ−２に接着される。この接着部ＣＦはスライダーＳの移動を妨げないように、スライダーＳの下端よりも下方に位置する。また、ヘッダー材ＨＦの内容物側先端部ＢＰが接着部ＣＦより上方で且つスライダーＳの下端よりも下方に位置するようにしてフランジ部Ｃ−２に接着されている。
【００４０】
前述した各種実施例において、消費者が使用する際にヘッダーが邪魔になると思われる場合は、ヘッダーの下部にミシン目等の切取り線を設けて、ヘッダー部を切取り可能としてもよい。この切取り線はチャックの上端ＴＰより内容物側（下側）で且つチャックのフランジ部と裏側フィルムの接着部ＣＦより開口側（上側）に位置することが望ましい。
【００４１】
図３（ａ）および（ｂ）に示したプラスチックチャックは開封検知機能（いたずら防止機能）を備えていないが、本発明の袋に適用するスライダー付きプラスチックチャックとしては開封検知機能（いたずら防止機能）を備えたものが好ましい。以下に本願発明者が先に特願２００３−３９２３５０号において提案した高気密性（密封機能）で開封検知機能（いたずら防止機能）を備えたプラスチックチャックを図７から図１０に基いて説明する。なお、本発明に適用できる開封検知機能を備えたプラスチックチャックは、図示した実施例に限られるものではない。
【００４２】
図７はスライダーＳとチャックの係合部との関係を示す断面図であり、図７（ａ）はスライダー閉止端部付近でチャックが未開封状態の断面図であり、（ｂ）はチャックの閉止端におけるスライダー開口端部付近でチャックが未開封状態の断面図であり、（ｃ）はスライダー開口端部付近でチャックが開封状態の断面図である。図７に示したプラスチックチャックは、図３（ａ）に示したものと同様に雄鈎爪１−１の内側に該鈎爪と平行な連続締付け壁１−２を、雌鈎爪１−３の内側に該鈎爪と平行な連続押付けリブ１−４をそれぞれ有している。更に、開口側フランジ部Ｃ−３、Ｃ−４の端部にスライダー案内突起部分Ｇ−１、Ｇ−２をそれぞれ有している。図３（ａ）のものと異なって、雌鈎爪１−３−１の頂部とそれに対向する雄鈎爪の開口側フランジ部Ｃ−３とに易剥離プラスチック層Ａが設けられている。図７（ａ）および（ｂ）に示すように、未開封状態においては開口側の雌鈎爪１−３−１の頂部とそれに対向する雄鈎爪の開口側フランジ部Ｃ−３とが易剥離プラスチック層Ａにより接着されている。また、図示していないが、連続締付け壁１−２と連続押付けリブ１−４とが易剥離プラスチック層により接着されていることが好ましく、より高気密性が得られる。。
【００４３】
図７（ａ）においては、スライダーＳの開口ガイドＳ２の先端部Ｓ１が開口側の雌鈎爪１−３−１と一対のスライダー案内突起Ｇ−１、Ｇ−２との間に位置している。この開口ガイドＳ２の先端部Ｓ１は幅が狭く、チャックの開口側フランジ部Ｃ−３、Ｃ−４を変形させていない。またスライダーの上部Ｓ３の内壁はチャックのスライダー案内突起Ｇ−１、Ｇ−２に接触していない。
【００４４】
図７（ｂ）はチャックの閉止端に位置したスライダーＳの開口ガイドＳ２の開口力を無力化する構造を説明する断面図である。スライダーＳがチャックの閉止端に位置した際に、チャックの開口側フランジ部Ｃ−３、Ｃ−４の、スライダーＳの開口ガイドＳ２に対応する箇所に、スリットＳＬ−１、ＳＬ−２を設けている。スリットＳＬ−１、ＳＬ−２によって、開口側フランジ部Ｃ−３、Ｃ−４が伸びて開口ガイドＳ−２の開口力を無力化し、チャックの開口端で開口ガイドＳ２によりチャックの係合が解かれることを防止できる。
【００４５】
スライダーＳをチャックの閉止端からチャックの開口端に向けて移動すると、図７（ｃ）に示すようにスライダーＳの上部Ｓ３に設けられた溝部Ｓ４によりスライダー案内突起Ｇ−１、Ｇ−２が拘束されるとともに、開口ガイドのプレート部Ｓ２が開口側フランジ部Ｃ−３、Ｃ−４を押し拡げる。このため、チャックの易剥離プラスチック層Ａによる接着部分は剥離し、雌雄の鈎爪の係合も解除され、開封した状態となる。
【００４６】
スライダーＳを上述と逆にチャックの開口端からチャックの閉止端に移動させると、チャックは再び全閉するが、上述のようにして剥離した易剥離プラスチック層Ａは剥離したままの状態である。このため、開封されたことが容易に判断できる。
【００４７】
このようにこの実施例のプラスチックチャックを適用すると、チャック付袋のチャックが未開封状態では、スライダーＳはチャックの閉止端にあり、図７（ａ）、（ｂ）に示すように、チャックの雌鈎爪１−３−１の頂部と雄鈎爪の開口側フランジ部Ｃ−３との間の易剥離プラスチック層Ａによる接着部分は剥離しておらず、密封状態に保たれている。その結果、チャックの閉止端から開口端に向かってスライダーＳをスライドさせない限り、易剥離プラスチック層Ａによる接着部分は接着されたままであり、チャックは密閉を維持できる。そして、不正に開開封された場合は、雌鈎爪１−３−１の頂部と雄鈎爪の開口側フランジ部Ｃ−３とが離れたままとなっているので、目視により容易に開封されたことが検知できる。
【００４８】
図８（ａ）は、本発明の別のプラスチックチャックの実施例であり、図７（ａ）と同様に未開封状態を示す断面図であり、図８（ｂ）はこの実施例の図７（ｃ）と同様に開封状態を示す断面図である。この実施例のチャックはプラスチックフイルムの表面に雄雌一対の鈎爪が形成された汎用形スライダー付きプラスチックチャックであり、チャックの係合部の近傍のフランジ部に少なくとも先端部分が可撓性を有する突起が設けられている。図示した実施例では可撓性の突起５−１が雌鈎爪の近傍の開口側フランジ部Ｃ−４に設けられ、突起５−１の先端部および雄鈎爪の開口側フランジ部Ｃ−３の表面に易剥離プラスチック層Ａが設けられており、未開封状態では突起５−１とフランジ部Ｃ−３とが易剥離プラスチック層Ａにより溶融接着されている。
【００４９】
チャックｔがスライダーＳの閉止端部にあると、図８（ａ）に示すように、開口ガイドの先端部Ｓ１が突起５−１と一対のスライダー案内突起Ｇ−１、Ｇ−２との間に位置している。図７（ａ）と同様に、この開口ガイドの先端部Ｓ１は幅が狭く、チャックの開口側フランジ部Ｃ−３、Ｃ−４を変形させていない。またスライダーの上部Ｓ３の内壁はチャックのスライダー案内突起Ｇ−１、Ｇ−２に接触していない。
【００５０】
図８（ｂ）においては、図７（ｃ）と同様に、スライダーの上部Ｓ３に設けられた溝部Ｓ４によりスライダー案内突起Ｇ−１、Ｇ−２が拘束されるとともに、開口ガイドのプレート部Ｓ２が開口側フランジ部Ｃ−３、Ｃ−４を押し拡げている。このため、スライダーＳをチャックの閉止端からチャックの開口端に向かってチャック上をスライドさせると、易剥離プラスチック層Ａによる突起５−１とフランジ部Ｃ−３との接着部分は剥離し、また、雌雄の鈎爪３−１、３−２の係合も解除され、開封した状態となる。
【００５１】
図８に示したプラスチックチャックも一旦開封すると、再びチャックを閉じても、突起５−１とフランジ部Ｃ−３との接着部分は離れたままとなるので、外観から開封されたことが分かる。すなわち、開封検知機能を備えている。従って、いたずら防止効果がある。
【００５２】
図９はプラスチックチャックの別の実施例を示す断面図でありスライダーは省略して描かれている。この実施例は内容物側の雌鈎爪３−２−２の頂部に可撓性の突起５−１があり、突起５−１およびこの突起５−１と対向するフランジ部Ｃ−３の箇所の少なくとも一方に易剥離プラスチック層Ａが設けられている。未開封状態では、この突起５−１は対向する内容物側フランジ部Ｃ−３に内容物側に撓んだ状態で接触し且つ易剥離プラスチック層Ａにより溶着している。
【００５３】
この実施例のプラスチックチャックも一旦開封すると、再びチャックを閉じても、突起５−１とフランジ部Ｃ−３との接着部分は離れたままとなるので、外観から開封されたことが分かる。すなわち、開封検知機能を備えており、いたずら防止効果がある。
【００５４】
図１０はプラスチックチャックの雄鈎爪および雌鈎爪の開口側フランジ部にスライダー装着用突起Ｇ−１、Ｇ−２を設けた実施例の断面図である。図１０のプラスチックチャックはその係合部の形状は図３（ａ）に示したものと同じであるが、係合部が易剥離プラスチック層Ａ−２を介して溶着されている。この実施例においては、プラスチックチャックの雄鈎爪１−１の開口側フランジ部Ｃ−３と雌鈎爪１−３の開口側フランジ部Ｃ−４のそれぞれに突起Ｇ−１、Ｇ−２を設けられている。突起Ｇ−１の先端は凸状であり、それと対向する突起Ｇ−２の先端は凹状であり、突起Ｇ−１の先端部は可撓性を有し、その表面に予め易剥離プラスチック層Ａ−５が設けられている。両突起は接着されていない状態では間隔ζが開くが、係合部を溶着した後に両突起は易剥離プラスチック層Ａ−５して溶着される。
【００５５】
なお、図１０に示した実施例では突起Ｇ−１、Ｇ−２の先端部の形状が凹凸になっており、このような形状にすると超音波振動に対して安定して接着できるが、この形状に限定されるものではない。また、超音波により安定した状態で両突起Ｇ−１、Ｇ−２を接着するに、突起Ｇ−１またはＧ−２が可撓性を有していることが好ましい。前述した説明では突起Ｇ−１の先端部が可撓性を有するとしたが、突起が全体として可撓性を有していてもよい。なお、突起Ｇ−１、Ｇ−２の溶着は連続したものでもよいし、スポット的であってもよい。
【００５６】
この実施例のプラスチックチャックも一旦開封すると、再びチャックを閉じても、突起Ｇ−１と突起Ｇ−２との接着部分は離れたままとなるので、外観から開封されたことが分かる。すなわち、開封検知機能を備えており、いたずら防止効果がある。
【００５７】
前述した図７〜図１０示したようなプラスチックチャックは内容物の長期保存が可能となるような高度の密閉性が得られると共に、開口も容易であり、しかも不正開封が明示される機能を併せ持つスライダー付きプラスチックチャックであり、これらを本発明のヘッダー付きチャック袋に適用することが好ましい。
【００５８】
本発明のチャック袋に内容物を充填するには、プラスチックチャックの内容物側フランジ部と袋を構成するフィルムとの接着部ＣＦ以外の袋の周縁を開いた状態としておき、その開いた箇所から内容物を充填した後に、前記開いた箇所をシールすればよい。例えば、図５に示すように、底開き袋を用いて底部から内容物を充填した後に底部をヒートシールなどで密封すればよい。
【００５９】
また、袋の底部にガゼット等が設けてあるために底開きができない場合や１枚のフィルムを２つ折りにして表側フィルムと裏側フィルムとする場合（すなわち袋の底部で繋がっている場合）は次のようにして内容物を充填すればよい。図１１は図２に示したものと同様のチャック袋の断面図であるが、内容物を充填する前の状態である。すなわち、プラスチックチャックの内容物側のフランジ部Ｃ−１、Ｃ−２にそれぞれ接着して袋を構成するフィルムＦ１、Ｆ２は図１に示すようにチャックと袋の両端ではヒートシールＨＳによって接続しているが、袋の中央部では図１のＡ−Ａ′断面図に相当する図１１に示すように、フィルムＦ１またはＦ２とフランジＣ−１またはＣ−２の何れか一方のみ接着し、他方を接着せずに開口部ＯＰとしておく。そして、図１１の開口部ＯＰから内容物を充填した後に、フィルムＦ１またはＦ２とチャックのフランジ部Ｃ−１またはＣ−２をシールすればよい。
【００６０】
本発明において、チャックの内容物側のフランジ部Ｃ−１、Ｃ−２と袋を構成するフィルムとを溶着する場合、本願発明者が特開平２００２−３３７８９２号公報において提案したような技術を用いることが好ましい。すなわち、チャックの内容物側のフランジ部Ｃ−１、Ｃ−２とチャック本体（係合部）とを異なった融点を有する樹脂を使用したプラスチックチャックを使用する。そして、フランジ部Ｃ−１、Ｃ−２の溶着部表面の融点Ｔfs（℃）、チャック本体（係合部）の融点Ｔft（℃）、袋を構成するフィルムＦのシーラント層の融点Ｔs
（℃）とすると、これらが下記の式の範囲内である樹脂を用いると、自動充填などでヒートシール温度やヒートシール時間が多少変動しても安定した接着ができる。
Ｔft（℃）−Ｔfs（℃）＝＋１０（℃）〜＋８０（℃）
Ｔs
（℃）−Ｔfs（℃）＝−１０（℃）〜＋６０（℃）
本発明のスライダー付きチャック袋の製造工程の一例を図１２に基いて説明する。袋を構成する２枚のフィルムの内、ヘッダーを構成する延長部分に相当する長さだけ他方のフィルムより幅が広い方のフィルム（裏側フィルム）を下面に位置させてフィルムロールＸ２から、袋を構成する他方のフィルム（表側フィルム）をフィルムロールＸ１から、両フィルムの一方の端部を引揃えた状態で繰り出し、ダンサーロールＸ４を介して製袋機に供給する。
【００６１】
製袋機では折返し板Ｘ３１で延長部分を折返す。この際、折返し部分の先端部の位置が製品においてチャックの雄、雌一対の鈎爪の下端より内容物側で且つチャックのフランジ部とフィルムとの接着部となる箇所より開口側に位置するように設定して折返す。もし、折返し部分の先端部が接着部となる箇所に達していると、後工程で裏側フィルムとフランジ部とを接着する際に折返し部分が接着を阻害することがあるので、折返し過ぎないように折返し寸法を決める。
【００６２】
続いて、ヒートシール機Ｘ５で折返し部分を縞模様などがデザインされたヘッダー部に成形する。ヘッダー部を成形後に必要に応じて、ミシン目形成装置Ｘ５１でヘッダー切断のためのミシン目を形成したり、穿孔装置Ｘ５２によりヘッダー中央部の吊下げ用穴の穿孔を行ったり、延長部の端部を切欠きを行う。ヒートシール機Ｘ５、ミシン目形成装置Ｘ５１、穿孔装置Ｘ５２で裏側フィルムの加工を行う際にこれらの装置と表側フィルムとが接触する虞れのある場合は、表側フィルムの引揃えていない方の端部をガイド等を用いて一時的に上方に折り曲げておくとよい。
【００６３】
一方、図１０に示したようなフランジ部Ｃ−１、Ｃ−２を雄、雌鈎爪の内容物側にそれぞれ有し且つ雄、雌鈎爪を開閉できるスライダーを装着可能なテープ状のプラスチックチャックであって、係合部が易剥離性プラスチックＡ−２を介して連続的に溶着された高気密性チャックをチャックロールＸ３から繰り出して、フィルムの所定の位置にセットした後、ヒートシール機Ｘ６でフィルムにチャックを溶着する。この際に、前述したように折返し部分の先端部がチャックの雄、雌一対の鈎爪１−１、１−３の下端より内容物側で且つチャックのフランジ部と裏側フィルムとの接着部より開口側に位置させるようにチャックの位置を決める。
【００６４】
次に、チャック閉止端加工装置Ｘ７でチャックの閉止端の所定位置に切欠などの開封防止加工を施し、必要に応じて封止機Ｘ７１でシールバーを用いて不正開封防止のためチャック上部のスライダー装着部以外の部分で突起Ｇ−１、Ｇ−２を易剥離性プラスチックＡ−５（図１０参照）を介して溶着する。
【００６５】
超音波ヒートシール機Ｘ９でチャックの末端部をポイントシールするが、ポイントシールのチャック長手方向の長さ（幅）は縦ヒートシール機Ｘ１０の縦ヒートシール幅よりも若干大きくする。縦ヒートシール幅よりもポイントシールの幅が小さいと、縦ヒートシールをする際に、スライダーの形式によってはヒートシールーバーとスライダーが接触する虞れがある。
【００６６】
自動供給装置Ｘ８１より供給されたスライダーをスライダー自動装着装置Ｘ８により、開封防止加工を施した位置でチャックに装着する。なお、スライダー自動装着装置Ｘ８、ヒートシール機Ｘ９で加工を行う際に、これらの機械とヘッダー部が接触するのを避けるために、これらの加工位置ではヘッダーの端部をガイド等を用いて一時的に下方に折り曲げる。
【００６７】
続いて、縦ヒートシール機Ｘ１０でチャック左右端部と袋体のフィルム部をチャックと直角方向にヒートシールする。この際、ヘッダー模様のつなぎ目等を消すためにヘッダー左右端部を装飾のヒートシールをしてもよい。最後にギロチンカッターＸ１２でチャック末端のヒートシール部を切断する。これによって製品である係合部が易剥離性プラスチックを介して溶着され且つヘッダーを設けた高気密性スライダー付きチャック袋体Ｘ１３が生産される。このチャック袋体Ｘ１３は底部が開いている状態であるので、その後、底部から内容物を充填して、底部をヒートシールＢＨＳすればよい。
【００６８】
本発明の係合部が易剥離性プラスチックを介して溶着されたスライダー付き高気密性チャックを組入れ、内容物の自動充填を含めた製袋を連続的に実施する工程を図１３に基いて説明する。但し、工程の前半は図１２と同様であるため詳しい説明は省略する。
【００６９】
図１３において袋を構成する２枚のフィルムの内、幅が広い方のフィルム（裏側フィルム）を下面に位置させてフィルムロールＹ２から、袋を構成する他方のフィルム（表側フィルム）をフィルムロールＹ１から、両フィルムの一方の端部を引揃えた状態で繰り出し、ダンサーロールＹ４を介して製袋機に供給する。
【００７０】
製袋機では折返し板Ｙ３１で延長部分を折返し、ヒートシール機Ｙ５で折返し部分をヘッダー部に成形する。ヘッダー部を成形後に必要に応じて、ミシン目形成装置Ｙ５１でヘッダー切断のためのミシン目を形成したり、穿孔装置Ｙ５２によりヘッダー中央部の吊下げ用穴の穿孔を行ったり、延長部の端部を切欠きを行う。
【００７１】
一方、図１０に示したようなフランジ部Ｃ−１、Ｃ−２をそれぞれ有し且つスライダーを装着可能なテープ状のプラスチックチャックであって、係合部が易剥離性プラスチックを介して溶着された高気密性チャックをチャックロールＹ３から繰り出して、フィルムの所定の位置にセットした後、ヒートシール機Ｙ６でフィルムにチャックを溶着する。この際、折返し部分の先端部がチャックの雄、雌一対の鈎爪の下端より内容物側で且つチャックのフランジ部と裏側フィルムとの接着部より開口側に位置させるようにチャックの位置を決める。
【００７２】
次に、チャック閉止端加工装置Ｙ７でチャックの閉止端の所定位置に切欠などの開封防止加工を施し、超音波ヒートシール機Ｙ９でチャックの末端部をポイントシールした後、スライダー自動装着装置Ｙ８で開封防止加工を施した位置にスライダーを装着する。この際にスライダーはスライダー自動供給装置Ｙ８１より供給される。
【００７３】
必要に応じて封止機Ｙ１０で加熱シールバーを用いて不正開封防止のためチャック上部のスライダー装着部以外の部分で突起部を易剥離性プラスチックを介して溶着したり、ラベラーＹ１１でシールしたりする。なお、封止機Ｙ１０の設置位置はこの位置に限定されず、超音波ヒートシール機Ｙ９とチャック閉止端加工装置Ｙ７の間に位置してもよい。
【００７４】
続いて、縦ヒートシール機Ｙ１２でチャック左右端部と袋体のフィルム部をチャックと直角方向にヒートシールした後、充填機Ｙ１４で袋の底部から内容物を充填する。充填した後、底部をヒートシール機Ｙ１５で閉じた後、ギロチンカッターＹ１６でチャック末端部と袋体のフィルムのヒートシール部を切断する。これによって製品である内容物充填済みの係合部が易剥離性プラスチックを介して溶着されたスライダー付き高気密性チャック付き袋体Ｙ１７を生産できる。
【実施例１】
【００７５】
サイズ１４０ｍｍ幅×２００ｍｍ高さの底開きスライダー付き平袋で袋の頂部に５０ｍｍのヘッダーを設けた袋の中央部の縦断面が図２のような袋を図１２のような製袋機を用いて次のようにして製造した。袋を構成するフィルムとして、内側に６０μのＬ−ＬＤＰＥフィルムと外側に２０μのポリアミドフィルムをドライラミネートした積層フィルムを用いた。袋を構成する２枚のフィルムの内、製袋機上において下面に位置させる幅が３１０ｍｍである一方のフィルム（裏側フィルム）はフィルムロールＸ２から、上面に位置する幅が１９０ｍｍである他方のフィルム（表側フィルム）をフィルムロールＸ１から、両フィルムの一方の端部を揃えた状態でそれぞれ繰り出し、ダンサーロールＸ４を介して製袋機に供給した。
【００７６】
製袋機では、折返し部分の先端部が表側フィルムの他方の端部（すなわち、引揃えていない方の端部）と突き合わせるように折返し板Ｘ３１で延長部分を折返した。この時、折返し部分の長さは６０ｍｍとなった。続いて、ヒートシール機Ｘ５で折返し部分を縦縞模様がデザインされたヘッダーに成形した。顧客が袋を使用する時に不要になったヘッダーを切断出来るように折返し先端部から１ｍｍ内容物側にミシン目形成装置Ｘ５１でミシン目をつけ、穿孔装置Ｘ５２でヘッダー中央部に直径６ｍｍの吊穴を穿孔した。これらの加工を行う際に、前記装置と表側フィルムとが接触する虞れがあるため、表側フィルムの前記他方の端部をガイドプレートで上方に折り曲げた。
【００７７】
一方、プラスチックチャックとして、図１０のような幅１４ｍｍのフランジ部Ｃ−１、Ｃ−２を内容物側に設けた係合部の幅が３ｍｍの雄、雌鈎爪を有し且つ鈎爪を開閉するため端部に突起Ｇ−１、Ｇ−２を有する幅３ｍｍの開口リブＣ−３、Ｃ−４を鈎爪の開口側に設けた全幅２０ｍｍのスライダー装着可能なテープ状のプラスチックチャックを用いた。このプラスチックチャックは係合部が易剥離性プラスチックＡ−２を介して連続的に溶着された高気密性チャックであり、これをチャックロールＸ３から繰り出して、表側フィルムの引き揃えていない方の端部からチャックの開口側が１０ｍｍ露出する位置にセットした。従って、折返し部分の先端部ＢＰ（図２参照）および表側フィルムの前記端部はチャックの鈎爪の内容物側端部（下端）から４ｍｍ内容物側に位置する。そして、チャックの鈎爪の内容物側端部（下端）とヒートシール部の開口側端部（上端）の距離が６ｍｍである位置にヒートシール機Ｘ６のシールバーをセットし、それぞれのフィルムとフランジ部をチャックと平行に５ｍｍの幅でヒートシールした。
【００７８】
次に、チャック閉止端加工装置Ｘ７でチャックの閉止端の所定位置に特願２００２−３６４７６２号で本願発明者が開示した開封防止のための切欠を施し、封止機Ｘ７１でシールバーを間欠的に用いて不正開封防止のためスライダーを装着する位置（開封防止加工を施した位置）以外のチャック上部の突起部同士を易剥離性プラスチックを介して接着した。そして、超音波ヒートシール機Ｘ９でチャックの末端部をポイントシールした後スライダー自動装着装置Ｘ８で開封防止加工を施した位置にＷＯ  ０３／０２２６９７号公報で本願発明者が開示した形式のスライダーを装着した。この際にスライダーはスライダー自動供給装置Ｘ８１より供給した。
【００７９】
続いて、縦ヒートシール機Ｘ１０でチャック左右端部と袋体のフィルム部をチャックと直角方向にヒートシールした。この際にヘッダー模様のつなぎ目等を消すためにヘッダー左右端部を装飾のヒートシールをした。最後にギロチンカッターＸ１２でチャック末端のヒートシール部を切断することによって製品である要部が易剥離性プラスチックを介して溶着されたヘッダーを設けた高気密性スライダー付きチャック袋体Ｘ１３を２００枚製造した。
【００８０】
これらから無作為に３０枚を取出しこの内１５枚をスライダーでチャックを開口したところ総ての袋で開口できたので、スライダーで再封止した。未開封の袋と開口して再封止した袋は開口側の突起部の接着状態で明らかに識別できた。このためいたずら防止に効果があると判断した。
【００８１】
未開封の袋１５枚と再封止した袋１５枚にそれぞれ下部から水５００ｃｃを充填し、下部をヒートシールした後、チャック部を下方にして４８時間放置したが、何れの袋からも水漏れは無かった。袋の密閉性能は再開封後でも保てると判断した。
【実施例２】
【００８２】
実施例１で製造した２枚の袋にそれぞれ内容物として個包装した飴１２０ｇを下部から充填して下部をヒートシールした。同様の２枚の袋にそれぞれ内容物として海苔巻き煎餅８０ｇを下部から充填して下部をヒートシールした。この両者をヘッダーに形成した吊下げ用穴で吊り下げるとスライダーを含むチャック部分が前面にせり出し、スライダーで容易に開閉できるチャック袋入りの商品であることを目視で認識できた。他のチャック付き袋のようにチャック付き袋であると袋に記載しなくても、スライダーで容易に開閉できるチャック袋入りの商品であると消費者に容易にアピールできると判断した。
【００８３】
次に、飴と煎餅を充填した袋の内それぞれ１袋をスライダーで開口したところ容易に開口でき、内容物を取出すことができた。開封後スライダーで再封止した後、ヘッダーで吊り下げた状態でこれらと飴と煎餅を充填した未開封の袋とを、それぞれ外観を比べると突起部の接着状態で明らかに両者を識別できた。このためいたずら防止に効果があると判断した。
【００８４】
再封止した袋のヘッダー部をミシン目に沿って切取ったところ、容易に切取れた。ヘッダーを切取ることによって袋が小さくなり、内容物の出し入れが容易になる、保管に場所を取らない、袋を他用途に利用し易い等の利点があることが分かった。
【００８５】
また、袋の長さが２００ｍｍ（袋の下端からチャックの上端までの長さ）に対して、ヘッダー部（チャック上端から上方に突出している長さ）が５０ｍｍで全面積の１／５しか占めないこと、および袋を空気でやや膨らませた含気包装であるため、ヘッダー部のディスプレー効果は限定的であった。
【実施例３】
【００８６】
実施例１で製造した深さ２００ｍｍの袋の下部を切断して、深さを１００ｍｍと短くした袋２枚を作った。この袋に内容物としてそれぞれスライスしたサラミソーセージ５０ｇを下部から充填し、真空包装して下部をヒートシールした。これをヘッダーで吊り下げるとスライダーを含むチャック部分が前面にせり出し、スライダーで容易に開閉できるチャック袋入りの商品であると、一目で認識できた。
【００８７】
次に、サラミソーセージを充填した袋の内１袋をスライダーで開口したところ、真空包装であるにもかかわらず容易に開口でき、内容物を取出すことができた。スライダーで袋を再封止した後、ヘッダーで吊り下げた状態で、再封止したものと未開封のサラミソーセージ袋との外観を比べると、突起部の接着状態で明らかに両者を識別できた。このためいたずら防止に効果があると判断した。
【００８８】
また、真空包装であるので、袋には皺が生じた。このため、実施例２の飴や煎餅のような含気包装に比べると袋本体のディスプレー効果は大幅に低下したが、全体の１／３の面積を占めるヘッダーは極めて有効なディスプレー効果を発揮した。従って、袋の面積に対するヘッダー部の面積の割合が大きく、袋の表面に凹凸があるために袋の表面の印刷効果が減ずると、ヘッダーによるディスプレー効果が大きくなることが分かった。
【図面の簡単な説明】
【００８９】
【図１】本発明のチャック袋の一実施例の一部断面斜視図であり、断面から先の部分は想像線（一点鎖線）で示している。
【図２】図１に示したチャック袋の断面図であり、袋本体の長さ方向の一部を省略している。
【図３】図３（ａ）は本発明のチャック袋に使用するプラスチックチャックの一実施例の断面図、図３（ｂ）は別の実施例の断面図である。
【図４】図４（ａ）は本発明の袋体の横端ヒートシールと折返し部分の先端との位置関係を説明するための正面図であるがスライダーは省略して描かれている。図４（ｂ）は図４（ａ）のＦ−Ｆ′線に沿った断面図である。
【図５】本発明のチャック袋に使用するプラスチックチャックの別の実施例の断面図であり、底部がヒートシールされていない状態で描かれている。
【図６】本発明のチャック袋に使用するプラスチックチャックの更に別の実施例の断面図である。
【図７】スライダーＳとチャックの係合部との関係を示す断面図であり、図７（ａ）はスライダー閉止端部付近でチャックが未開封状態の断面図であり、（ｂ）はチャックの閉止端におけるスライダー開口端部付近でチャックが未開封状態の断面図であり、（ｃ）はスライダー開口端部付近でチャックが開封状態の断面図である。
【図８】図８（ａ）は、本発明の別のプラスチックチャックの実施例であり、図７（ａ）と同様に未開封状態を示す断面図であり、図８（ｂ）はこの実施例の図７（ｃ）と同様に開封状態を示す断面図である。
【図９】プラスチックチャックの別の実施例を示す断面図でありスライダーは省略して描かれている。
【図１０】プラスチックチャックの雄鈎爪および雌鈎爪の開口側フランジ部にスライダー装着用突起を設けた実施例の断面図である。
【図１１】図２と同様のチャック袋の断面図であるが、内容物を充填する前の状態を示している。
【図１２】本発明のスライダー付きチャック袋の製造工程の一例を示す工程図である。
【図１３】本発明のスライダー付きチャック袋の製造工程の別の実施例を示す工程図である。
【符号の説明】
【００９０】
Ｆ１  袋体を構成する表側フィルム
Ｆ２  袋体を構成する裏側フィルム
ＥＦ  裏側フィルムの延長部
ＢＰ  折返された延長部の先端
ＰＣ  プラスチックチャック
Ｃ−１  プラスチックチャックの一方の内容物側フランジ部
Ｃ−２  プラスチックチャックの他方の内容物側フランジ部
ＣＦ  内容物フランジ部と裏側フィルムとの接着箇所
ＴＰ  プラスチックチャックの上端
Ｓ    スライダー
ＨＳ  袋の横端ヒートシール
ＢＨＳ  底部シール部
ＨＦ  ヘッダー材
【図１】
2005178791.tif 000003
【図２】
2005178791.tif 000004
【図３】
2005178791.tif 000005
【図４】
2005178791.tif 000006
【図５】
2005178791.tif 000007
【図６】
2005178791.tif 000008
【図７】
2005178791.tif 000009
【図８】
2005178791.tif 000010
【図９】
2005178791.tif 000011
【図１０】
2005178791.tif 000012
【図１１】
2005178791.tif 000013
【図１２】
2005178791.tif 000014
【図１３】
2005178791.tif 000015